(57)【要約】      （修正有） 【課題】美容パックの美容パック材を完全に使い切ることのできるとともに、簡易な操作で取り扱うことができる蒸気式フィルム加熱装置を提供する。【解決手段】少なくとも１以上のカバー部材１１と、該カバー部材上に設けられ、且つ少なくとも１以上の液体を含有した美容パック材を設置して加熱するための少なくとも１以上の加熱支持手段１２と、該加熱支持手段の該カバー部材側とは反対の側に選択的に設けられ、該加熱支持部材と共に該美容パック材を挟持して固定する少なくとも１以上の押圧手段１３と、該押圧手段に形成され、該美容パック材に連通する少なくとも１以上の連通部１３１と、含んでなり、加熱支持手段が、該カバー部材上に設ける少なくとも１以上の支持手段１２１と、該支持手段の該カバー部材側とは反対の側に設ける少なくとも１以上の熱伝導手段１２３と、該支持手段と該熱伝導手段との間に設ける少なくとも１以上の加熱手段１２２と、を含んでなる。【選択図】図３
0003209444.tif 000002
【実用新案登録請求の範囲】
【請求項１】
少なくとも１以上のカバー部材と、
該カバー部材上に設けられ、且つ少なくとも１以上の液体を含有した美容パック材を設置して加熱するための少なくとも１以上の加熱支持手段と、
該加熱支持手段の該カバー部材側とは反対の側に選択的に設けられ、該加熱支持手段と共に該美容パック材を挟持して固定する少なくとも１以上の押圧手段と、
該押圧手段に形成され、該美容パック材に連通する少なくとも１以上の連通部と、含んでなることを特徴とする蒸気式フィルム加熱装置。
【請求項２】
前記加熱支持手段が、該カバー部材上に設ける少なくとも１以上の支持手段と、該支持手段の該カバー部材側とは反対の側に設ける少なくとも１以上の熱伝導手段と、該支持手段と該熱伝導手段との間に設ける少なくとも１以上の加熱手段と、を含んでなり、該熱伝導手段が該加熱手段の熱エネルギーを伝導し、かつ拡散して該美容パック材を均一に加熱することを特徴とする請求項１に記載の蒸気式フィルム加熱装置。
【請求項３】
前記押圧手段が、該加熱支持手段と共に該美容パック材を固定する少なくとも１以上の固定手段と、該固定手段の該加熱支持手段側とは反対の側に設ける少なくとも１以上の接触手段と、を含んでなることを特徴とする請求項１に記載の蒸気式フィルム加熱装置。
【請求項４】
前記カバー部材と該加熱支持手段との間に該加熱支持手段と電気的に接続する少なくとも１以上の制御手段を設けるとともに、前記カバー部材と該加熱支持手段との間に該制御手段に電気的に接続する少なくとも１以上の操作手段を設け、かつ前記カバー部材上に、該制御手段に電気的に接続する少なくとも１以上の接続手段と、該接続手段に選択的に接続する少なくとも１以上の電源供給手段とを設けることを特徴とする請求項１に記載の蒸気式フィルム加熱装置。
【請求項５】
前記蒸気式フィルム加熱装置に少なくとも１以上のヘッドバンドを設けるとともに、該加熱支持手段が、該美容パック材に含有された液体を加熱して気化し、発生した蒸気を、該連通部を介して使用者に接触するために供することを特徴とする請求項１に記載の蒸気式フィルム加熱装置。
【考案の詳細な説明】
【技術分野】
【０００１】
この考案は、美容パック材について、その効能と効果を増進させるとともに、簡易な操作で貼ることのできる蒸気式フィルム加熱装置に関する。
【背景技術】
【０００２】
かねてより、世界の各地では、肌の手入れに様々の異なる方法が用いられてきた。とりわけ顔は識別に供するなどの要因により長時間露出させる部分であって、人に与える第一印象においてはかなりの比例を占めている。したがって、顔の肌の手入れは特に重視されてきた。昨今常見される方法で、使用上便利な方法として美容パック（アイマスク）が挙げられる。美容パック（アイマスク）と肌が一定の時間接触することにより、美容パック（アイマスク）に吸収させた液体の成分が徐々に肌に浸透し、肌の手入れの効果が得られる。
【０００３】
然しながら、美容パック（アイマスク）を使用したことのある者ならわかることだが、肌に付着させて一定の時間が経過した後、美容パック（アイマスク）を押すと液体が滲みでるものの、美容パック（アイマスク）自体はすでに使用できなくなっていて、廃棄せざるを得ない。よって、効率係数が低く、この点において惜しまれる。
【考案の概要】
【考案が解決しようとする課題】
【０００４】
この考案は、美容パックの美容パック材を完全に使い切ることのできるとともに、簡易な操作で取り扱うことができ、美容パックによる肌の手入れの効果を増進させることのできる蒸気式フィルム加熱装置を提供することを課題とする。
【課題を解決するための手段】
【０００５】
そこで、本考案者は従来の美容パックの使用状況と、その欠点に鑑み鋭意研究を重ねた結果、少なくとも１以上のカバー部材と、該カバー部材上に設けられ、且つ少なくとも１以上の液体を含有した美容パック材を設置して加熱するための少なくとも１以上の加熱支持手段と、該加熱支持手段の該カバー部材側とは反対の側に選択的に設けられ、該加熱支持手段と共に該美容パック材を挟持して固定する少なくとも１以上の押圧手段と、該押圧手段に形成され、該美容パック材に連通する少なくとも１以上の連通部と、含んでなるとともに、該加熱支持手段が、該カバー部材上に設ける少なくとも１以上の支持手段と、該支持手段の該カバー部材側とは反対の側に設ける少なくとも１以上の熱伝導手段と、該支持手段と該熱伝導手段との間に設ける少なくとも１以上の加熱手段と、を含んでなる蒸気式フィルム加熱装置によって課題を解決でできる点に着眼し、係る知見に基づいて本考案を完成させた。
【０００６】
以下この考案について説明する。請求項１に記載する蒸気式フィルム加熱装置は、少なくとも１以上のカバー部材と、
該カバー部材上に設けられ、且つ少なくとも１以上の液体を含有した美容パック材を設置して加熱するための少なくとも１以上の加熱支持手段と、
該加熱支持手段の該カバー部材側とは反対の側に選択的に設けられ、該加熱支持部材と共に該美容パック材を挟持して固定する少なくとも１以上の押圧手段と、
該押圧手段に形成され、該美容パック材に連通する少なくとも１以上の連通部と、含んでなる。
【０００７】
請求項２に記載する蒸気式フィルム加熱装置は、請求項１における加熱支持手段が、該カバー部材上に設ける少なくとも１以上の支持手段と、該支持手段の該カバー部材側とは反対の側に設ける少なくとも１以上の熱伝導手段と、該支持手段と該熱伝導手段との間に設ける少なくとも１以上の加熱手段と、を含んでなり、該熱伝導手段が該加熱手段の熱エネルギーを伝導し、かつ拡散して該美容パック材を均一に加熱する。
【０００８】
請求項３に記載する蒸気式フィルム加熱装置は、請求項１における押圧手段が、該加熱支持手段と共に該美容パック材を固定する少なくとも１以上の固定手段と、該固定手段の該加熱支持手段側とは反対の側に設ける少なくとも１以上の接触手段と、を含んでなる。
【０００９】
請求項４に記載する蒸気式フィルム加熱装置は、請求項１におけるカバー部材と該加熱支持手段との間に該加熱支持手段と電気的に接続する少なくとも１以上の制御手段を設けるとともに、該カバー部材と該加熱支持手段との間に該制御手段に電気的に接続する少なくとも１以上の操作手段を設け、かつ該カバー部材上に、該制御手段に電気的に接続する少なくとも１以上の接続手段と、該接続手段に選択的に接続する少なくとも１以上の電源供給手段とを設ける。
【００１０】
請求項５に記載する蒸気式フィルム加熱装置は、請求項１における蒸気式フィルム加熱装置に少なくとも１以上のヘッドバンドを設けるとともに、該加熱支持手段が、該美容パック材に含有された液体を加熱して気化し、発生した蒸気を、該連通部を介して使用者に接触するために供する。
【図面の簡単な説明】
【００１１】
【図１】この考案による蒸気式フィルム加熱装置を示した斜視図である。
【図２】図１に開示するＡ−Ａ線に沿った断面の構造を示した説明図である。
【図３】この考案による蒸気式フィルム加熱装置を分解した状態を示す説明図である。
【図４】この考案による蒸気式フィルム加熱装置の放置による動作を示した説明図である。
【図５】この考案による蒸気式フィルム加熱装置の押圧による動作を示した説明図である。
【図６】この考案による蒸気式フィルム加熱装置の加熱の動作を示した説明図である。
【図７】この考案による蒸気式フィルム加熱装置の使用態様を示した説明図である。
【図８】この考案による蒸気式フィルム加熱装置の充電状態を示した説明図である。
【図９】他の実施の形態によるこの考案による蒸気式フィルム加熱装置を示した説明図である。
【考案を実施するための形態】
【００１２】
この考案は、美容パックの美容パック材を完全に使い切ることのできるとともに、簡易な操作で取り扱うことができ、美容パックによる肌の手入れの効果を増進させることのできる蒸気式フィルム加熱装置を提供するものであって、少なくとも１以上のカバー部材と、該カバー部材上に設けられ、且つ少なくとも１以上の液体を含有した美容パック材を設置して加熱するための少なくとも１以上の加熱支持手段と、該加熱支持手段の該カバー部材側とは反対の側に選択的に設けられ、該加熱支持部材と共に該美容パック材を挟持して固定する少なくとも１以上の押圧手段と、該押圧手段に形成され、該美容パック材に連通する少なくとも１以上の連通部と、含んでなり、加熱支持手段が、該カバー部材上に設ける少なくとも１以上の支持手段と、該支持手段の該カバー部材側とは反対の側に設ける少なくとも１以上の熱伝導手段と、該支持手段と該熱伝導手段との間に設ける少なくとも１以上の加熱手段と、を含んでなる。係る蒸気式フィルム加熱装置の構造と特徴を説明するために、具体的な実施例を挙げ、図面を参照にして以下に詳述する。
【実施例１】
【００１３】
図１から図３に開示するように、実施例における蒸気式フィルム加熱装置１はゴーグルタイプであって、以下に述べる美容パック材はアイマスクに基づき解説する。蒸気式フィルム加熱装置１がフルフェイスタイプであれば、美容パック材はファイスパックであり、その他タイプはこれらを以って推類する。
【００１４】
この考案による蒸気式フィルム加熱装置１は、少なくとも１以上のカバー部材１１と、少なくとも１以上の加熱支持手段１２と、少なくとも１以上の押圧手段１３と、少なくとも１以上の連通部１３１とを含んでなる。
【００１５】
加熱支持手段１２はカバー部材１１上に設け、液体を含有した少なくとも１以上の美容パック材の設置に供し、且つこれを加熱する。加熱支持手段１２はカバー部材１１上に設ける少なくとも１以上の支持手段１２１と、支持手段１２１のカバー部材１１側と反対の側に設ける少なくとも１以上の熱伝導手段１２３と、支持手段１２１と熱伝導手段１２３との間に設ける少なくとも１以上の加熱手段１２２とを具え、かつ熱伝導手段１２３は加熱手段１２２の熱を伝導、拡散して美容パック材の均一な加熱に供する。
【００１６】
押圧手段１３は、加熱支持手段１２のカバー部材１１側とは反対側に選択的に設け、加熱支持手段１２と共に美容パック材を挟持するとともに、押圧手段１３は加熱支持手段１２と共に美容パック材を固定する少なくとも１以上の固定手段１３２と、及び固定手段１３２の加熱支持手段１２側とは反対の側に設ける少なくとも１以上の接触手段１３３とを含んでなり、連通部１３１は押圧手段１３上に形成し、かつ美容パック材に連通する。
【００１７】
カバー部材１１と加熱支持手段１２との間には、少なくとも１以上の制御手段１４１と、蓄電手段１４２とを設ける。蓄電手段１４２は制御手段１４１側に設けるとともに、制御手段１４１と加熱支持手段１２と蓄電手段１４２とは電気的に接続する。
【００１８】
また、カバー部材１１には、少なくとも１以上の操作手段１４３と、少なくとも１以上の接続手段１４５と、少なくとも１以上のパイロットランプ１４４とを設けるとともに、操作手段１４３と接続手段１４５と、パイロットランプ１４４と、制御手段１４１とは電気的に接続し、使用者の使用に供する。接続手段１４５は、以下に述べる少なくとも１以上の電源供給手段に選択的に接続する。
【００１９】
また、蒸気式フィルム加熱装置１には、少なくとも１以上のヘッドバンド１５を設け、蒸気式フィルム加熱装置１の支持を目的として使用者の使用に供する。実施例におけるヘッドバンド１５は帯状を呈するものとして説明する。
【００２０】
この考案の実施の形態は上述するとおりであるが、但し、以上の説明は実施形態の一つに過ぎず、よってこの考案の実施の形態を上述に限定しない。
【００２１】
この考案の装置を使用する場合は、図１から図８に開示するように、蒸気加熱装置１を開けて液体を含ませた美容パック材２を加熱支持手段１２上に置いて、支持手段１２１によって支持し、押圧手段１３とカバー部材１１とを貼り合わせ、かつ固定手段１３２と支持手段１２１とによって美容パック材２を挟持し、蒸気式フィルム加熱装置１内に固定する。この場合、カバー部材１１と押圧手段１３とによって密封されるため、美容パック材２内の液体が蒸気式フィルム加熱装置１の外部に漏れることがない。
【００２２】
次いで、操作手段１４３を操作して制御手段１４１に情報を転送し（例えば、温度、もしくは作動モードなどを入力する）、制御手段１４１が蓄電手段１４２から電力を得て、入力された操作情報にしたがって加熱手段１２２を作動させて加熱を行なう。加熱手段１２２の熱は熱伝導手段１２３に伝導して均一に分散し、さらに熱伝導手段１２３が美容パック材２に対して均一に加熱する。同時に、制御手段１４１がパイロットランプ１４４を作動し、蒸気式フィルム加熱装置１の目下の状態を表示する（例えば、発光することによって加熱中であることを表示する）。
【００２３】
次いで、ヘッドバンド１５を用いて蒸気式フィルム加熱装置１を使用者の頭部に固定し、接触手段１３３を使用者の肌に近接させると、接触手段１３３が心地よく使用者の肌に接触する。実施例において接触手段１３３が可撓性を有する材質であるとして説明する。同時に、密封することによって以下に述べる蒸気の効果が得られる。均一に加熱された美容パック材２は、同時に液体も均一に加熱され、液体が、その成分とともに蒸気を発生させ、蒸気が連通部１３１を通過して使用者の肌に接触し、美容パック材２に液体がなくなるまで継続して蒸気を発生させ、使用者の肌に接触する。よって、簡易な操作で使用することができ、便利である。しかも、液体が気化して蒸気となり、分子が微細化することで肌に容易に吸収され、肌の手入れの効果が増進するのみならず、美容パック材２に含有させた液体が完全に気化して使用者の肌に吸収されることから、美容パック材２を使用する上で使用効率を高めることができる。
【００２４】
また、蓄電手段１４２の電力が不足した場合は、電力供給手段１６に接続して電源とし、接続手段１４５に通電させて制御手段１４１を介して蓄電手段１４２に充電を行う。充電が完了した場合は電源供給手段１６を外すことで。使用上の制限を受けることなく、自由に使用することができる。
【００２５】
図９に他の実施の形態を開示する。図面に開示する実施の形態は、上述する実施の形態に略同様であるが、蒸気式フィルム加熱装置１ａをフルフェイスタイプとする。ここから明らかなように、この考案による装置は応用性があり、多種多様なタイプとすることができる。
【符号の説明】
【００２６】
１      蒸気式フィルム加熱装置
１ａ    蒸気式フィルム加熱装置
１１    カバー部材
１２    加熱支持手段
１２１  支持手段
１２２  加熱手段
１２３  熱伝導手段
１３    押圧手段
１３１  連通部
１３２  固定手段
１３３  接触手段
１４１  制御手段
１４２  蓄電手段
１４３  操作手段
１４４  パイロットランプ
１４５  接続手段
１５    ヘッドバンド
１６    電源供給手段
２      美容パック材
【図１】
0003209444.tif 000003
【図２】
0003209444.tif 000004
【図３】
0003209444.tif 000005
【図４】
0003209444.tif 000006
【図５】
0003209444.tif 000007
【図６】
0003209444.tif 000008
【図７】
0003209444.tif 000009
【図８】
0003209444.tif 000010
【図９】
0003209444.tif 000011